(57)【特許請求の範囲】
【請求項１】
名刺に記載された情報であり、氏名と組織名と電話番号と当該組織名で識別される組織に関する情報が記載された情報である組織情報を取得するための情報であり、組織のウェブページを取得するための情報である組織情報識別子とを有する情報である名刺情報を１以上格納し得る名刺情報格納部と、
前記名刺情報格納部から１以上の名刺情報の少なくとも一部を取得する名刺情報取得部と、
前記名刺情報取得部が取得した名刺情報の少なくとも一部を出力する名刺情報出力部と、
前記組織情報識別子を用いて取得され得るウェブページから、当該ウェブページのうちの一部の情報であり、かつ予め決められた時点以降に更新された情報である更新情報を取得する更新情報取得部と、
前記名刺情報出力部が名刺情報を出力する場合に、前記更新情報取得部が取得した更新情報をも出力する更新情報出力部とを具備し、
前記更新情報取得部は、
前記組織情報識別子を用いて取得され得るウェブページから、当該ウェブページのうちの一部の情報であり、プレスリリース、ニュースリリース、または人事異動の情報のうちのいずれかの情報を更新情報として取得する名刺情報出力装置。
【請求項２】
前記予め決められた時点以降に更新された情報である更新情報は、
現在から予め決められた時間以内に更新された情報、または、
以前に更新情報が出力された時刻以降に更新された情報である請求項１記載の名刺情報出力装置。
【請求項３】
前記組織情報識別子は、ＵＲＬであり、
前記更新情報取得部は、
１以上の用語を格納している用語格納手段と、
前記組織情報識別子で識別されるウェブページの下位のウェブページのＵＲＬであり、前記１以上の用語を含むＵＲＬを取得するＵＲＬ取得手段と、
前記ＵＲＬを用いて、ウェブページを取得するウェブページ取得手段と、
前記ウェブページから更新情報を取得する更新情報取得手段とを具備する請求項１または請求項２記載の名刺情報出力装置。
【請求項４】
前記組織情報識別子は、ＵＲＬであり、
前記更新情報取得部は、
１以上のタグを格納しているタグ格納手段と、
前記ＵＲＬを用いて、ウェブページを取得するウェブページ取得手段と、
前記ウェブページから、当該ウェブページのうちの一部の情報であり、前記タグに対応する情報である更新情報を取得する更新情報取得手段とを具備する請求項１または請求項２記載の名刺情報出力装置。
【請求項５】
前記組織情報識別子は、ＵＲＬであり、
前記更新情報取得部は、
１以上の用語を格納している用語格納手段と、
前記ＵＲＬを用いて、ウェブページを取得するウェブページ取得手段と、
前記ウェブページから、当該ウェブページのうちの一部の情報であり、前記用語を用いて更新情報を取得する更新情報取得手段とを具備する請求項１または請求項２記載の名刺情報出力装置。
【請求項６】
前記更新情報取得部は、
前記組織情報識別子を用いて取得され得る組織情報から、当該組織情報のうちの一部の情報であり、現在から、予め決められた時間以内に更新された情報である更新情報を取得する請求項１から請求項５いずれか記載の名刺情報出力装置。
【請求項７】
前記名刺情報出力部または前記更新情報出力部は、
前記名刺情報が出力された時刻に関する情報、または前記更新情報が出力された時刻に関する情報である時刻情報を、ユーザごと、かつ組織情報識別子ごとに蓄積し、
前記更新情報取得部は、
ユーザおよび前記組織情報識別子に対応する前記時刻情報を取得し、前記組織情報識別子を用いて取得され得る組織情報から、当該組織情報のうちの一部の情報であり、前記時刻情報が示す時刻以降に更新された情報である更新情報を取得する請求項１から請求項５いずれか記載の名刺情報出力装置。
【請求項８】
前記更新情報取得部は、
前記組織情報識別子ごとに、前記更新情報が存在するＵＲＬを蓄積しておき、前記ＵＲＬから取得され得るウェブページから更新情報を取得する請求項１から請求項７いずれか記載の名刺情報出力装置。
【請求項９】
前記更新情報取得部は、
前記蓄積しているＵＲＬを用いてウェブページを取得しに行き、当該取得に失敗した場合に、請求項３から請求項５いずれか記載のウェブページ取得手段によりウェブページを取得し、当該ウェブページから更新情報を取得する請求項８記載の名刺情報出力装置。
【請求項１０】
名刺情報を検索する条件であり、キーワードを含む検索条件である検索条件を受け付ける検索条件受付部をさらに具備し、
前記名刺情報取得部は、
前記検索条件に含まれるキーワードを用いて、前記名刺情報格納部から１以上の名刺情報の少なくとも一部を取得する請求項１から請求項９いずれか記載の名刺情報出力装置。
【請求項１１】
名刺情報取得部、名刺情報出力部、更新情報取得部、および更新情報出力部とにより実現される名刺情報出力装置を用いた名刺情報出力方法であって、
前記名刺情報取得部により、記憶媒体から、名刺に記載された情報であり、氏名と組織名と当該組織名で識別される組織に関する情報が記載された情報である組織情報を取得するための情報であり、組織のウェブページを取得するための情報である組織情報識別子とを有する情報である名刺情報であり、１以上の名刺情報の少なくとも一部を取得する名刺情報取得ステップと、
前記名刺情報出力部により、前記名刺情報取得ステップで取得した名刺情報の少なくとも一部を出力する名刺情報出力ステップと、
前記更新情報取得部により、前記組織情報識別子を用いて取得され得るウェブページから、当該ウェブページのうちの一部の情報であり、かつ予め決められた時点以降に更新された情報である更新情報を取得する更新情報取得ステップと、
前記更新情報出力部により、前記名刺情報出力ステップで名刺情報を出力する場合に、前記更新情報取得ステップで取得した更新情報をも出力する更新情報出力ステップとを具備し、
前記更新情報取得ステップにおいて、
前記組織情報識別子を用いて取得され得るウェブページから、当該ウェブページのうちの一部の情報であり、プレスリリース、ニュースリリース、または人事異動の情報のうちのいずれかの情報を更新情報として取得する名刺情報出力方法。
【請求項１２】
コンピュータを、
記憶媒体から、名刺に記載された情報であり、氏名と組織名と当該組織名で識別される組織に関する情報が記載された情報である組織情報を取得するための情報であり、組織のウェブページを取得するための情報である組織情報識別子とを有する情報である名刺情報であり、１以上の名刺情報の少なくとも一部を取得する名刺情報取得部と、
前記名刺情報取得部が取得した名刺情報の少なくとも一部を出力する名刺情報出力部と、
前記組織情報識別子を用いて取得され得るウェブページから、当該ウェブページのうちの一部の情報であり、かつ予め決められた時点以降に更新された情報である更新情報を取得する更新情報取得部と、
前記名刺情報出力部が名刺情報を出力する場合に、前記更新情報取得部が取得した更新情報をも出力する更新情報出力部として機能させるためのプログラムであって、
前記更新情報取得部を、
前記組織情報識別子を用いて取得され得るウェブページから、当該ウェブページのうちの一部の情報であり、プレスリリース、ニュースリリース、または人事異動の情報のうちのいずれかの情報を更新情報として取得するものとして、コンピュータを機能させるためのプログラム。
【発明の詳細な説明】
【技術分野】
【０００１】
本発明は、名刺情報を出力する名刺情報出力装置等に関するものである。
【背景技術】
【０００２】
従来、複数のユーザが情報を共有できる名刺情報のデータベースを設け、いずれかのユーザから入力された名刺の更新情報は全てのユーザ間で共有される名刺情報検索装置があった（特許文献１参照）。
【０００３】
また、名刺情報データベースを備えた情報処理システムであって、交渉先担当者の名刺情報を格納する交渉先情報テーブル、交渉元担当者の名刺情報を格納する交渉元情報テーブル、名刺情報の授受により構築されるヒューマンリレーションを名刺情報間のリンクとして格納するリンクテーブルを記憶する第１記憶手段と、担当者に対応づけて、該担当者の営業力評価値を記憶する第２記憶手段と、交渉元担当者からの入力に基づいて、第１記憶手段の各テーブルに名刺情報を登録・更新・管理する登録手段と、第１記憶手段のリンクテーブルに基づいて、名刺情報により特定される個人又は／及び該個人が属するグループの営業力評価値を算出し、第２記憶手段の記憶内容を更新する評価手段と、を備えることを特徴とする情報処理システムがあった（特許文献２参照）。
【特許文献１】特開平１１−６６０８２公報（第１頁、第１図等）
【特許文献２】特許第３３９６４７４号（第１頁、第１図等）
【発明の開示】
【発明が解決しようとする課題】
【０００４】
しかしながら、従来の装置においては、名刺情報データベースから名刺情報を検索した場合に、通常、電話番号やＦＡＸ番号や電子メールアドレスなどの連絡先を知るだけであり、その名刺情報に含まれる会社名が示す会社の詳細な情報や、会社のトピックスなどを、容易に得ることができなかった。
【課題を解決するための手段】
【０００５】
本第一の発明の名刺情報出力装置は、名刺に記載された情報であり、氏名と組織名と当該組織名で識別される組織に関する情報が記載された情報である組織情報を取得するための情報である組織情報識別子とを有する情報である名刺情報を１以上格納し得る名刺情報格納部と、前記名刺情報格納部から１以上の名刺情報の少なくとも一部を取得する名刺情報取得部と、前記名刺情報取得部が取得した名刺情報の少なくとも一部を出力する名刺情報出力部と、前記組織情報識別子を用いて取得され得る組織情報から、当該組織情報のうちの一部の情報である更新情報を取得する更新情報取得部と、前記名刺情報出力部が名刺情報を出力する場合に、前記更新情報取得部が取得した更新情報をも出力する更新情報出力部とを具備する名刺情報出力装置である。
【０００６】
かかる構成により、例えば、名刺に記載されたＵＲＬから取得したウェブページの一部の情報である更新情報を取得し、当該更新情報をも出力できる。そのことによって、例えば、ユーザは、名刺情報を出力した場合に、電話番号等の相手の連絡先を知ることができると同時に、相手との会話を弾ませるための話題を提供してもらえる。
【０００７】
また、本第二の発明の名刺情報出力装置は、第一の発明に対して、前記更新情報取得部は、前記組織情報識別子を用いて取得され得る組織情報から、当該組織情報のうちの一部の情報であり、かつ予め決められた時点以降に更新された情報である更新情報を取得する名刺情報出力装置である。
【０００８】
かかる構成により、ユーザは、その会社のニュースリリースなど、最近に更新された情報のみを得ることができ、より有用な情報を効率的に取得できる。
【０００９】
また、本第三の発明の名刺情報出力装置は、第二の発明に対して、前記組織情報識別子は、ＵＲＬであり、前記更新情報取得部は、１以上の用語を格納している用語格納手段と、前記組織情報識別子で識別されるウェブページの下位のウェブページのＵＲＬであり、前記１以上の用語を含むＵＲＬを取得するＵＲＬ取得手段と、前記ＵＲＬを用いて、ウェブページを取得するウェブページ取得手段と、前記ウェブページから更新情報を取得する更新情報取得手段とを具備する名刺情報出力装置である。
【００１０】
かかる構成により、ユーザは、その会社のニュースリリース、人事異動の情報など、現在のトピック的な情報のみを得ることができ、より有用な情報を効率的に取得できる。
【００１１】
また、本第四の発明の名刺情報出力装置は、第二の発明に対して、前記組織情報識別子は、ＵＲＬであり、前記更新情報取得部は、１以上のタグを格納しているタグ格納手段と、前記ＵＲＬを用いて、ウェブページを取得するウェブページ取得手段と、前記ウェブページから、当該ウェブページのうちの一部の情報であり、前記タグに対応する情報である更新情報を取得する更新情報取得手段とを具備する名刺情報出力装置である。
【００１２】
かかる構成により、更新情報が取得できるウェブページの構造を用いて、効率的に更新情報を取得できる。
【００１３】
また、本第五の発明の名刺情報出力装置は、第二の発明に対して、前記組織情報識別子は、ＵＲＬであり、前記更新情報取得部は、１以上の用語を格納している用語格納手段と、前記ＵＲＬを用いて、ウェブページを取得するウェブページ取得手段と、前記ウェブページから、当該ウェブページのうちの一部の情報であり、前記用語を用いて更新情報を取得する更新情報取得手段とを具備する名刺情報出力装置である。
【００１４】
かかる構成により、更新情報が取得できるウェブページを精度高く検出できる。
【００１５】
また、本第六の発明の名刺情報出力装置は、第二から第五いずれかの発明に対して、前記更新情報取得部は、前記組織情報識別子を用いて取得され得る組織情報から、当該組織情報のうちの一部の情報であり、現在から、予め決められた時間以内に更新された情報である更新情報を取得する名刺情報出力装置である。
【００１６】
かかる構成により、ユーザは、その会社のニュースリリースなど、最近に更新された情報のみを確実に得ることができ、より有用な情報を効率的に取得できる。
【００１７】
また、本第七の発明の名刺情報出力装置は、第二から第五いずれかの発明に対して、前記名刺情報出力部または前記更新情報出力部は、前記名刺情報が出力された時刻に関する情報、または前記更新情報が出力された時刻に関する情報である時刻情報を、ユーザごと、かつ組織情報識別子ごとに蓄積し、前記更新情報取得部は、ユーザおよび前記組織情報識別子に対応する前記時刻情報を取得し、前記組織情報識別子を用いて取得され得る組織情報から、当該組織情報のうちの一部の情報であり、前記時刻情報が示す時刻以降に更新された情報である更新情報を取得する名刺情報出力装置である。
【００１８】
かかる構成により、ユーザごとに、連絡先の会社の、最近に更新された情報のみを確実に知らせることができる。
【００１９】
また、本第八の発明の名刺情報出力装置は、第一から第七いずれかの発明に対して、前記更新情報取得部は、前記組織情報識別子ごとに、前記更新情報が存在するＵＲＬを蓄積しておき、前記ＵＲＬから取得され得るウェブページから更新情報を取得する名刺情報出力装置である。
【００２０】
かかる構成により、高速に更新情報を取得できる。
【００２１】
また、本第九の発明の名刺情報出力装置は、第八の発明に対して、前記更新情報取得部は、前記蓄積しているＵＲＬを用いてウェブページを取得しに行き、当該取得に失敗した場合に、上述したウェブページ取得手段によりウェブページを取得し、当該ウェブページから更新情報を取得する名刺情報出力装置である。
【００２２】
かかる構成により、ウェブサイトの構造の変更や、ウェブページの変更に対応できる。
【発明の効果】
【００２３】
本発明による名刺情報出力装置によれば、名刺情報を出力した場合に、更新情報をも出力できる。
【発明を実施するための最良の形態】
【００２４】
以下、情報出力システム等の実施形態について図面を参照して説明する。なお、実施の形態において同じ符号を付した構成要素は同様の動作を行うので、再度の説明を省略する場合がある。
【００２５】
（実施の形態）
【００２６】
本実施の形態において、名刺情報が格納されているデータベースから名刺情報が検索され、名刺情報が出力された場合、例えば、当該名刺情報のＵＲＬから取得したウェブページの一部の情報である更新情報を取得し、当該更新情報をも出力する情報出力システムについて説明する。ここで、更新情報は、例えば、ＵＲＬの文字列を用いて取得され得る。また、更新情報は、ウェブページの構造（例えば、タグ）を用いて取得され得る。さらに、更新情報は、ウェブページに含まれる用語を用いて取得され得る。さらに、更新情報は、例えば、ウェブページにおいて、所定期間（例えば、１ヶ月）以内に更新された情報である。また、更新情報は、前回ユーザが当該名刺を出力した以降に更新された情報である。また、本実施の形態において、更新情報が存在するＵＲＬをキャッシングしておく情報出力システムについて説明する。かかる場合、更新情報が記載されていたＵＲＬが変わっていれば、再度、新しい更新情報のＵＲＬを探す情報出力システムについて説明する。
【００２７】
図１は、本実施の形態における情報出力システム１の概念図である。図２は、本実施の形態における情報出力システム１のブロック図である。
【００２８】
情報出力システム１は、1以上の端末装置１１、および名刺情報出力装置１２を具備する。端末装置１１は、受付部１１１、処理部１１２、送信部１１３、受信部１１４、出力部１１５を具備する。
【００２９】
名刺情報出力装置１２は、名刺情報格納部１２１、検索条件受付部１２２、名刺情報取得部１２３、更新情報取得部１２４、名刺情報出力部１２５、更新情報出力部１２６を具備する。
【００３０】
更新情報取得部１２４は、用語格納手段１２４１、タグ格納手段１２４２、ＵＲＬ取得手段１２４３、ウェブページ取得手段１２４４、更新情報取得手段１２４５を具備する。
【００３１】
端末装置１１は、名刺情報を取得するユーザが保持している端末であり、例えば、いわゆるパソコン、携帯電話、携帯端末などである。また、端末装置１１は、名刺を受け付け、名刺情報を名刺情報出力装置１２に送信しても良い。なお、例えば、端末装置１１は、スキャナなどにより名刺を受け付けても良いし、手入力による名刺情報を受け付けても良い。
【００３２】
受付部１１１は、ユーザからの入力を受け付ける。入力とは、例えば、名刺情報の検索の指示である検索条件や名刺情報である。検索条件は、例えば、キーワードを含む。キーワードとは、例えば、氏名、姓、名、会社名、電話番号などである。検索条件等の入力手段は、テンキーやキーボードやマウスやメニュー画面によるもの等、何でも良い。受付部１１１は、テンキーやキーボード等の入力手段のデバイスドライバーや、メニュー画面の制御ソフトウェア等で実現され得る。
【００３３】
処理部１１２は、受付部１１１が受け付けた情報を処理したり、受信部１１４が受信した情報を処理したりする。例えば、受信部１１４がＨＴＭＬ形式の情報を受信した場合、処理部１１２は、このＨＴＭＬ形式の情報を解釈し、出力する。かかる場合、処理部１１２は、いわゆるＷｅｂブラウザの機能を有する。また、処理部１１２は、受付部１１１が受け付けた検索条件からＳＱＬ文を構成しても良い。かかるＳＱＬ文も、検索条件と呼ぶ。処理部１１２は、通常、ＭＰＵやメモリ等から実現され得る。処理部１１２の処理手順は、通常、ソフトウェアで実現され、当該ソフトウェアはＲＯＭ等の記録媒体に記録されている。但し、ハードウェア（専用回路）で実現しても良い。
【００３４】
送信部１１３は、受付部１１１が受け付けた検索条件、または処理部１１２が得た検索条件を送信する。なお、処理部１１２が得た検索条件と、受付部１１１が受け付けた検索条件とは、構造が異なるだけで、内容は同じであるので、同じものであるとする。送信部１１３は、通常、無線または有線の通信手段で実現されるが、放送手段で実現されても良い。
【００３５】
受信部１１４は、名刺情報出力装置１２から名刺情報や更新情報などを受信する。受信部１１４は、通常、無線または有線の通信手段で実現されるが、放送を受信する手段で実現されても良い。
【００３６】
出力部１１５は、受信部１１４が受信した名刺情報や更新情報などを出力する。なお、名刺情報や更新情報などの出力前に、名刺情報や更新情報などを出力する態様や形式にするために処理部１１２が処理していても良い。処理部１１２の処理とは、例えば、名刺情報や更新情報などを画面上にレイアウトする処理などである。ここで、出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。出力部１１５は、ディスプレイやスピーカー等の出力デバイスを含むと考えても含まないと考えても良い。出力部１１５は、出力デバイスのドライバーソフトまたは、出力デバイスのドライバーソフトと出力デバイス等で実現され得る。
【００３７】
名刺情報出力装置１２は、名刺情報を格納しており、端末装置１１やユーザ等からの要求に応じて、名刺情報などを端末装置１１やディスプレイに出力する装置である。ここでは、名刺情報出力装置１２は、端末装置１１とインターネット等のネットワークで接続されているが、スタンドアロンでも良い。
【００３８】
名刺情報格納部１２１は、名刺情報を１以上格納し得る。名刺情報とは、名刺に記載された情報である。名刺情報とは、氏名と組織名と組織情報識別子とを有する。組織名とは、氏名で識別する人が所属する組織の名称であり、例えば、会社名である。また、組織情報識別子は、組織情報を取得するための情報である。組織情報とは、組織名で識別される組織に関する情報が記載された情報である。組織情報は、ウェブページ、特に、会社のウェブページ、ウェブサイトなどである。組織情報識別子は、例えば、ＵＲＩ、ＵＲＬ、ＵＲＮなどである。組織情報識別子は、通常、会社のトップページ（ホームページ）を示すＵＲＬである。また、名刺情報には、電話番号、ＦＡＸ番号などの通知先情報も、通常、含まれる。また、名刺情報には、名刺の画像が含まれても良い。名刺情報格納部１２１は、不揮発性の記録媒体が好適であるが、揮発性の記録媒体でも実現可能である。名刺情報格納部１２１に名刺情報が記憶される過程は問わない。例えば、記録媒体を介して名刺情報が名刺情報格納部１２１で記憶されるようになってもよく、通信回線等を介して送信された名刺情報が名刺情報格納部１２１で記憶されるようになってもよく、あるいは、入力デバイスを介して入力された名刺情報が名刺情報格納部１２１で記憶されるようになってもよい。
【００３９】
検索条件受付部１２２は、名刺情報を検索する条件であり、キーワードを含む検索条件である検索条件を受け付ける。検索条件は、例えば、「Ｓｅｌｅｃｔ  名刺情報  ｆｒｏｍ  名刺情報ＤＢ  ｗｈｅｒｅ  氏名＝"田中"  ＡＮＤ  会社名＝"ＡＢＣ"」などである。検索条件は、「田中、ＡＢＣ」などでも良い。ここで、「田中」「ＡＢＣ」は、キーワードの一例である。検索条件受付部１２２は、通常、端末装置１１から検索条件を受信するが、ユーザから検索条件を受け付けても良い。検索条件受付部１２２は、通常、無線または有線の通信手段で実現されるが、放送を受信する手段で実現されても良い。
【００４０】
名刺情報取得部１２３は、名刺情報格納部１２１から１以上の名刺情報の少なくとも一部を取得する。通常、名刺情報取得部１２３は、検索条件受付部１２２が受け付けた検索条件に含まれるキーワードを用いて、名刺情報格納部１２１から１以上の名刺情報の少なくとも一部を取得する。名刺情報取得部１２３は、名刺情報のすべての項目を取得しても良いし、一部の項目（例えば、氏名と電話番号と会社名のみ）のみでも良いし、名刺の画像を取得しても良い。名刺情報取得部１２３は、名刺情報のうち、予め決められた項目のみを取得しても良いし、検索条件が示す項目のみ取得しても良い。名刺情報取得部１２３は、通常、ＭＰＵやメモリ等から実現され得る。名刺情報取得部１２３の処理手順は、通常、ソフトウェアで実現され、当該ソフトウェアはＲＯＭ等の記録媒体に記録されている。但し、ハードウェア（専用回路）で実現しても良い。
【００４１】
更新情報取得部１２４は、組織情報識別子を用いて取得され得る組織情報から、当該組織情報のうちの一部の情報である更新情報を取得する。ここで、更新情報とは、例えば、会社情報、プレスリリース、ニュースリリース、人事異動の情報などである。更新情報取得部１２４は、組織情報識別子を用いて取得され得る組織情報から、当該組織情報のうちの一部の情報であり、かつ予め決められた時点（これを、適宜「基準時刻」という。）以降に更新された情報である更新情報を取得することは好適である。また、更新情報取得部１２４は、組織情報識別子を用いて取得され得る組織情報から、当該組織情報のうちの一部の情報であり、現在から、予め決められた時間以内に更新された情報である更新情報を取得する。かかる場合、基準時刻は、現在から、予め決められた時間前の時刻の情報である。ここで、「予め決められた時間以内に更新された」についての判断方法は、いろいろある。更新情報取得部１２４は、例えば、ニュースリリースに記載されている日付を示す文字列を抽出し、当該日付を示す文字列と時計（例えば、更新情報取得部１２４が有する）から取得した現在時刻とを用いて、更新情報取得部１２４は、取得対象の情報が、予め決められた時間以内に更新されたか否かを判断しても良い。また、更新情報取得部１２４は、例えば、ウェブページの更新日付を用いて、取得対象の情報が、予め決められた時間以内に更新されたか否かを判断しても良い。さらに、更新情報取得部１２４は、ユーザおよび組織情報識別子に対応する時刻情報（ユーザが更新情報を見た時刻についての情報）を取得し、組織情報識別子を用いて取得され得る組織情報から、当該組織情報のうちの一部の情報であり、時刻情報が示す時刻以降に更新された情報である更新情報を取得する。かかる場合、基準時刻は、取得された時刻情報である。更新情報取得部１２４は、組織情報識別子ごとに、更新情報が存在するＵＲＬを蓄積しておき、当該ＵＲＬから取得され得るウェブページから更新情報を取得することは好適である。ここで、「組織情報識別子ごと」とは、名刺情報ごとでも良い趣旨である。ここで、更新情報取得部１２４は、蓄積しているＵＲＬを用いてウェブページを取得しに行き、当該取得に失敗した場合に、再度、更新情報が格納されているウェブページを検索しに行き、当該ウェブページから更新情報を取得することは好適である。更新情報取得部１２４は、通常、ＭＰＵやメモリ等から実現され得る。更新情報取得部１２４の処理手順は、通常、ソフトウェアで実現され、当該ソフトウェアはＲＯＭ等の記録媒体に記録されている。但し、ハードウェア（専用回路）で実現しても良い。
【００４２】
用語格納手段１２４１は、１以上の用語を格納している。用語とは、更新情報が記載されているウェブページのＵＲＬで用いられる可能性のある用語であり、例えば、「newsrelease」、「pressrelease」などである。また、用語とは、ニュースリリース、トピックスなどでも良い。また、用語格納手段１２４１は、用語に対応付けて「重み」を有しても良い。「重み」とは、更新情報である可能性の高さを示す数値である。用語格納手段１２４１は、不揮発性の記録媒体が好適であるが、揮発性の記録媒体でも実現可能である。用語格納手段１２４１に用語が記憶される過程は問わない。例えば、記録媒体を介して用語が用語格納手段１２４１で記憶されるようになってもよく、通信回線等を介して送信された用語が用語格納手段１２４１で記憶されるようになってもよく、あるいは、入力デバイスを介して入力された用語が用語格納手段１２４１で記憶されるようになってもよい。
【００４３】
タグ格納手段１２４２は、１以上のタグを格納している。タグは、ウェブページから、更新情報を抽出するために用いられるタグである。タグとは、例えば、＜Ｈ１＞＜Ｈ２＞＜ｔｉｔｌｅ＞などのタイトルを示すタグ、その他の所定のタグなどである。タグ格納手段１２４２は、不揮発性の記録媒体が好適であるが、揮発性の記録媒体でも実現可能である。タグ格納手段１２４２にタグが記憶される過程は問わない。例えば、記録媒体を介してタグがタグ格納手段１２４２で記憶されるようになってもよく、通信回線等を介して送信されたタグがタグ格納手段１２４２で記憶されるようになってもよく、あるいは、入力デバイスを介して入力されたタグがタグ格納手段１２４２で記憶されるようになってもよい。
【００４４】
ＵＲＬ取得手段１２４３は、更新情報が記載されているウェブページのＵＲＬを取得する。ＵＲＬ取得手段１２４３は、例えば、組織情報識別子で識別されるウェブページの下位のウェブページのＵＲＬであり、１以上の用語を含むＵＲＬを取得する。このＵＲＬは、更新情報が記載されているウェブページのＵＲＬである。また、ＵＲＬ取得手段１２４３は、例えば、用語格納手段１２４１に格納されている用語と重みを用いて、更新情報が記載されているウェブページを決定し、当該ウェブページのＵＲＬを取得しても良い。また、ＵＲＬ取得手段１２４３は、組織情報識別子と対に管理されているＵＲＬを取得しても良い。ＵＲＬ取得手段１２４３は、通常、ＭＰＵやメモリ等から実現され得る。ＵＲＬ取得手段１２４３の処理手順は、通常、ソフトウェアで実現され、当該ソフトウェアはＲＯＭ等の記録媒体に記録されている。但し、ハードウェア（専用回路）で実現しても良い。
【００４５】
ウェブページ取得手段１２４４は、ＵＲＬを用いて、ウェブページを取得する。ウェブページ取得手段１２４４は、ＵＲＬで識別されるウェブページの1階層以上下位のウェブページ（ＵＲＬで識別されるウェブページのアンカーに示されているＵＲＬに対応するウェブページ）を取得しても良い。ウェブページ取得手段１２４４は、ＵＲＬか示すウェブサイト内のすべてのウェブページを取得しても良い。ウェブページ取得手段１２４４は、通常、ＭＰＵやメモリ等から実現され得る。ウェブページ取得手段１２４４の処理手順は、通常、ソフトウェアで実現され、当該ソフトウェアはＲＯＭ等の記録媒体に記録されている。但し、ハードウェア（専用回路）で実現しても良い。
【００４６】
更新情報取得手段１２４５は、ウェブページ取得手段１２４４が取得したウェブページから更新情報を取得する。更新情報取得手段１２４５は、例えば、ウェブページから、当該ウェブページのうちの一部の情報であり、タグ格納手段１２４２のタグに対応する情報である更新情報を取得しても良い。また、更新情報取得手段１２４５は、ウェブページから、当該ウェブページのうちの一部の情報であり、用語格納手段１２４１の用語を用いて更新情報を取得しても良い。更新情報取得手段１２４５は、通常、ＭＰＵやメモリ等から実現され得る。更新情報取得手段１２４５の処理手順は、通常、ソフトウェアで実現され、当該ソフトウェアはＲＯＭ等の記録媒体に記録されている。但し、ハードウェア（専用回路）で実現しても良い。
【００４７】
名刺情報出力部１２５は、名刺情報取得部１２３が取得した名刺情報の少なくとも一部を出力する。ここで、出力とは、通常、端末装置１１への送信であるが、ディスプレイへの表示、プロジェクターを用いた投影、プリンタへの印字、音出力、他の外部の装置への送信、記録媒体への蓄積、他の処理装置や他のプログラム等への処理結果の引渡し等を含む概念である。名刺情報出力部１２５は、通常、無線または有線の通信手段で実現されるが、放送手段で実現されても良い。
【００４８】
更新情報出力部１２６は、名刺情報出力部１２５が名刺情報を出力する場合に、更新情報取得部１２４が取得した更新情報をも出力する。また、更新情報出力部１２６は、名刺情報が出力された時刻に関する情報、または更新情報が出力された時刻に関する情報である時刻情報を、ユーザごと、かつ組織情報識別子ごと（名刺情報ごと、と同意味）に蓄積しでも良い。ここで、出力とは、通常、端末装置１１への送信であるが、ディスプレイへの表示、プロジェクターを用いた投影、プリンタへの印字、音出力、他の外部の装置への送信、記録媒体への蓄積、他の処理装置や他のプログラム等への処理結果の引渡し等を含む概念である。更新情報出力部１２６は、通常、無線または有線の通信手段で実現されるが、放送手段で実現されても良い。
【００４９】
次に、情報出力システム１の動作について説明する。まず、端末装置１１の動作について説明する。端末装置１１の受付部１１１は、ユーザから検索条件を受け付ける。次に、処理部１１２は、受付部１１１が受け付けた検索条件から、送信する検索条件を構成する。送信部１１３は、名刺情報出力装置１２に、検索条件を送信する。そして、検索条件の送信に対応して、端末装置１１の受信部１１４は、名刺情報出力装置１２から名刺情報や更新情報を受信する。次に、出力部１１５は、受信部１１４が受信した名刺情報や更新情報を出力する。
【００５０】
次に、名刺情報出力装置１２の動作について、図３のフローチャートを用いて説明する。
【００５１】
（ステップＳ３０１）検索条件受付部１２２は、キーワードを含む検索条件である検索条件を受け付けたか否かを判断する。検索条件を受け付ければステップＳ３０２に行き、検索条件を受け付けなければステップＳ３０１に戻る。
【００５２】
（ステップＳ３０２）名刺情報取得部１２３は、名刺情報格納部１２１から、ステップＳ３０１で受け付けた検索条件を用いて、当該検索条件に合致する１以上の名刺情報の少なくとも一部を取得する。
【００５３】
（ステップＳ３０３）更新情報取得部１２４は、カウンタｉに１を代入する。
【００５４】
（ステップＳ３０４）更新情報取得部１２４は、ステップＳ３０２で取得した名刺情報の中に、ｉ番目の名刺情報が存在するか否かを判断する。ｉ番目の名刺情報が存在すればステップＳ３０５に行き、ｉ番目の名刺情報が存在しなければステップＳ３０７に行く。
【００５５】
（ステップＳ３０５）更新情報取得部１２４は、ｉ番目の名刺情報を用いて、更新情報取得処理を行う。更新情報取得処理について、図４のフローチャートを用いて説明する。
【００５６】
（ステップＳ３０６）更新情報取得部１２４は、カウンタｉを１、インクリメントする。ステップＳ３０４に戻る。
【００５７】
（ステップＳ３０７）名刺情報出力部１２５は、ステップＳ３０２で取得された名刺情報の少なくとも一部を出力する。
【００５８】
（ステップＳ３０８）更新情報出力部１２６は、ステップＳ３０５で取得された更新情報を出力する。ステップＳ３０１に戻る。
【００５９】
なお、図３のフローチャートにおいて、名刺情報出力装置１２は、名刺情報と更新情報からなる画面を構成して、出力しても良い。
【００６０】
また、図３のフローチャートにおいて、電源オフや処理終了の割り込みにより処理は終了する。
【００６１】
次に、ステップＳ３０５の更新情報取得処理について、図４のフローチャートを用いて説明する。
【００６２】
（ステップＳ４０１）更新情報取得部１２４は、名刺情報に含まれる組織情報識別子に対応するＵＲＬであり、更新情報が存在するＵＲＬを取得する。なお、かかるＵＲＬは、各名刺情報に対応付けて蓄積されていても良いし、各組織情報識別子に対応付けて蓄積されていても良い。
【００６３】
（ステップＳ４０２）更新情報取得部１２４は、ステップＳ４０１で、更新情報が存在するＵＲＬを取得できたか否かを判断する。ＵＲＬを取得できればステップＳ４０３に行き、ＵＲＬを取得できなければステップＳ４０５に行く。
【００６４】
（ステップＳ４０３）更新情報取得部１２４を構成するウェブページ取得手段１２４４は、ステップＳ４０２で取得されたＵＲＬを用いて、ウェブページを取得する。
【００６５】
（ステップＳ４０４）ウェブページ取得手段１２４４は、ウェブページを取得できたか否かを判断する。ウェブページを取得できればステップＳ４０７に行き、ウェブページを取得できなければステップＳ４０５に行く。なお、ここでウェブページを取得できない場合とは、例えば、更新情報が存在したウェブページが削除されていたり、他のページに変更されていたりする場合である。
【００６６】
（ステップＳ４０５）ＵＲＬ取得手段１２４３は、更新情報が存在するＵＲＬを取得する。ＵＲＬを取得する処理については、図５のフローチャートを用いて説明する。なお、ＵＲＬを取得した場合に、当該ＵＲＬに対応するウェブページも取得できている、とする。
【００６７】
（ステップＳ４０６）ＵＲＬ取得手段１２４３は、ステップＳ４０３で取得したＵＲＬを、名刺情報または組織情報識別子に対応付けて蓄積する（登録する）。
【００６８】
（ステップＳ４０７）更新情報取得手段１２４５は、基準時刻を取得する。基準時刻とは、例えば、現在時刻（本日）から、予め決められた期間前の時刻である。なお、時刻は、日までの情報でも良いし、時までの情報でも良い。また、予め決められた期間は、更新情報取得手段１２４５が、予め保持している。また、基準時刻とは、例えば、ユーザおよび組織情報識別子に対応付けて蓄積されている基準時刻（例えば、当該ユーザが組織情報識別子で識別される会社の更新情報を出力させた時刻）である。
【００６９】
（ステップＳ４０８）更新情報取得手段１２４５は、ステップＳ４０７で取得した基準時刻を用いて、更新情報を取得し、メモリ上に追記する。つまり、更新情報取得手段１２４５は、基準時刻から現在時刻までの間に更新された情報を、取得されているウェブページから抽出する。更新情報取得手段１２４５は、例えば、ウェブページ内に記載されている日付情報を用いて、基準時刻から現在時刻までの間に更新された情報を抽出する。また、更新情報取得手段１２４５は、例えば、ウェブページの更新日付をチェックし、更新された情報を抽出しても良い。上位処理にリターンする。
【００７０】
次に、ステップＳ４０３のＵＲＬ取得処理については、図５のフローチャートを用いて説明する。
【００７１】
（ステップＳ５０１）ＵＲＬ取得手段１２４３は、用語格納手段１２４１から、１以上の用語を読み出す。
【００７２】
（ステップＳ５０２）ＵＲＬ取得手段１２４３は、名刺情報中の組織情報識別子（例えば、会社のトップのＵＲＬ）で識別されるウェブページを含み、そのウェブページより下位のすべてのＵＲＬを取得する。なお、このＵＲＬは、組織情報識別子で識別されるウェブページが含まれるウェブサイト内のウェブページのＵＲＬである。
【００７３】
（ステップＳ５０３）ＵＲＬ取得手段１２４３は、ステップＳ５０２で取得したＵＲＬの中に、ステップＳ５０１で取得した用語を含むＵＲＬを抽出し、メモリ上に配置する。
【００７４】
（ステップＳ５０４）ＵＲＬ取得手段１２４３は、ステップＳ５０２で取得したすべてのＵＲＬに対応する、すべてのウェブページを取得する。
【００７５】
（ステップＳ５０５）ＵＲＬ取得手段１２４３は、カウンタｉに１を代入する。
【００７６】
（ステップＳ５０６）ＵＲＬ取得手段１２４３は、ステップＳ５０４で取得したウェブページの中に、ｉ番目のウェブページが存在するか否かを判断する。ｉ番目のウェブページが存在すればステップＳ５０７に行き、ｉ番目のウェブページが存在しなければステップＳ５１２に行く。
【００７７】
（ステップＳ５０７）ＵＲＬ取得手段１２４３は、ｉ番目のウェブページの中に、ステップＳ５０１で読み出した用語を検索し、用語ごとに、出現頻度を算出する。なお、この用語は、「重み」と対になっている用語であり、通常、ステップＳ５０３で利用した用語とは異なる。
【００７８】
（ステップＳ５０８）ＵＲＬ取得手段１２４３は、ステップＳ５０７で取得した用語ごとの出現頻度、および、用語に対応する重みを用いて、スコアを算出する。なお、このスコアは、ウェブページに更新情報が含まれる可能性を示すスコアであり、通常、大きい値の方が、更新情報が含まれる可能性が高い、と判断される。
【００７９】
（ステップＳ５０９）ＵＲＬ取得手段１２４３は、ステップＳ５０８で算出したスコアが閾値より大きいか否か（閾値以上か否か、でも良い）を判断する。スコアが閾値より大きければステップＳ５１０に行き、スコアが閾値より大きくなければステップＳ５１１に行く。なお、ＵＲＬ取得手段１２４３は、スコアを算出する演算式、閾値を予め記憶している、とする。
【００８０】
（ステップＳ５１０）ＵＲＬ取得手段１２４３は、このウェブページに対応するＵＲＬを、メモリ上に追記する。
【００８１】
（ステップＳ５１１）ＵＲＬ取得手段１２４３は、カウンタｉを１、インクリメントする。ステップＳ５０６に戻る。
【００８２】
（ステップＳ５１２）ＵＲＬ取得手段１２４３は、タグ格納手段１２４２のタグを読み出す。
【００８３】
（ステップＳ５１３）ＵＲＬ取得手段１２４３は、ステップＳ５１２で読み出したタグ等を含むウェブページのＵＲＬを取得する。なお、タグ等とは、例えば、タグと１以上の用語（例えば、「会社情報」「人事異動」「ニュースリリース」など）である。
【００８４】
（ステップＳ５１４）ＵＲＬ取得手段１２４３は、ステップＳ５１３でＵＲＬを取得できたか否かを判断する。ＵＲＬを取得できればステップＳ５１５に行き、ＵＲＬを取得できなければ上位処理にリターンする。
【００８５】
（ステップＳ５１５）ＵＲＬ取得手段１２４３は、ステップＳ５１３で取得されたＵＲＬをメモリ上に追記する。上位処理にリターンする。
【００８６】
なお、図５のフローチャートにおいて、ステップＳ５０３等における処理、ステップＳ５１０等における処理、ステップＳ５１５等における処理の３つの異なる処理により、ＵＲＬを取得した。しかし、図５のフローチャートにおいて、３つのＵＲＬを取得する処理のうちのいずれか１以上の処理によりＵＲＬを取得しても良い。また、図５のフローチャートにおいて、３つのＵＲＬを取得する処理の順序、組み合わせ方法は問わない。
【００８７】
以下、本実施の形態における情報出力システム１の具体的な動作について説明する。情報出力システム１の概念図は図１である。
【００８８】
今、名刺情報格納部１２１は、図６に示す名刺情報管理表を保持している。名刺情報管理表は、「受取人識別子」「名刺情報」の属性値を有するレコードを１以上、格納している。「受取人識別子」とは、名刺を受け取った人である受取人を識別する情報である。受取人識別子とは、受取人のＩＤでも良いし、受取人の氏名と組織名の組の情報でも良いし、受取人の氏名と組織名と部署名の組の情報等でも良い。「名刺情報」は、ここでは、「ＩＤ」「氏名」「会社名」「所属部署」「ＴＥＬ」「ＦＡＸ」「メールアドレス」「役職」「ＵＲＬ」などの属性値を有する。また、「ＩＤ」は、少なくとも、同一の受取人に対応する名刺情報を識別する情報である。「ＩＤ」は、全名刺情報を識別する情報であることは好適である。「ＩＤ」は、名刺情報が蓄積される際に、図示しない蓄積手段が自動的に付与することが好適である。「ＵＲＬ」は、組織情報識別子の一例であり、ここでは、会社のＵＲＬである。
【００８９】
なお、図６の名刺情報管理表は、例えば、以下のように蓄積された、とする。つまり、あるユーザが、自分の端末装置１１から名刺情報出力装置１２にログインし、名刺情報を登録する。名刺情報出力装置１２へのログインの際に、ユーザは、受取人識別子とパスワードを入力する。そして、名刺情報出力装置１２へのログイン後、ユーザは、端末装置１１が有するスキャナ（受付部１１１に含まれる、とする）に、情報を登録する名刺を読み込ませ、処理部１１２は、名刺の画像情報を得る。次に、例えば、処理部１１２は、名刺の画像情報を文字認識し、名刺情報を構成する。そして、送信部１１３は、名刺情報を名刺情報出力装置１２に送信する。次に、名刺情報出力装置１２は、図示しない受信手段により名刺情報を受信し、図示しない蓄積手段により、名刺情報を名刺情報格納部１２１に蓄積する。
【００９０】
また、名刺情報格納部１２１は、図７に示すＵＲＬ管理表を保持している。ＵＲＬ管理表は、名刺情報に含まれる組織情報識別子（ここでは、会社のホームのＵＲＬ）に対応付けられているＵＲＬであり、更新情報が存在するウェブページのＵＲＬである。なお、ＵＲＬ管理表は、「ＵＲＬ」「ニュースリリースＵＲＬ」「会社情報ＵＲＬ」などの属性を有するレコードを１以上、保持している。「ＵＲＬ」は、組織情報識別子（ここでは、会社のホームのＵＲＬ）である。「ニュースリリースＵＲＬ」は、カテゴリー「ニュースリリース」に関する更新情報が記載されているウェブページのＵＲＬである。「会社情報ＵＲＬ」は、カテゴリー「会社情報」に関する更新情報が記載されているウェブページのＵＲＬである。
【００９１】
また、用語格納手段１２４１は、図８に示す第一用語管理表を保持している。第一用語管理表は、ＵＲＬで用いられる可能性のある用語を管理している表である。第一用語管理表は、「カテゴリー」「用語」の属性を有するレコードを管理している。「カテゴリー」とは、更新情報の種類である。「用語」は、ＵＲＬの一部となり得る文字列である。
【００９２】
また、用語格納手段１２４１は、図９に示す第二用語管理表を保持している。第二用語管理表は、ウェブページに記載されている可能性のある用語を管理している表である。第二用語管理表は、「カテゴリー」「用語」「重み」の属性を有するレコードを管理している。「カテゴリー」とは、更新情報の種類である。「用語」は、ウェブページに記載されている可能性のある用語である。「重み」は、更新情報である可能性を示す数値であり、ここでは、大きい数値ほど、更新情報である可能性を高めることを示す。
【００９３】
さらに、タグ格納手段１２４２は、図１０に示すタグ管理表を保持している。タグ管理表は、更新情報が記載されたウェブページのＵＲＬを決定したり、更新情報を抽出したりするための情報、ルールを管理している。タグ管理表は、「ＩＤ」「タグ」「用語情報」「他条件」の属性を有するレコードを1以上、保持している。「タグ」は、更新情報を抽出する箇所を特定するためのタグである。「用語情報」は、「用語」「箇所」の属性を有し、「箇所」で特定されるところに、「用語」で特定される用語が存在する場合、当該ウェブページのＵＲＬ、当該ウェブページの箇所に、更新情報が存在することを示す。なお、「他条件」は、更新情報が存在する箇所であることを決定するための付加的な条件である。
【００９４】
タグ管理表の「ＩＤ＝１」のレコードは、用語「ニュース一覧」「トピックス」などが、タグ「＜ｔａｂｌｅ＞」で特定される表の情報の箇所「ヘッダー」または「第一レコード」に存在し、かつ、タグ「＜ｔａｂｌｅ＞」で特定される表の中に、アンカーが存在する場合に、その表の中の情報（タグ「＜ｔａｂｌｅ＞」で特定される情報）を更新情報として取得することを示す。
【００９５】
また、タグ管理表の「ＩＤ＝２」のレコードは、用語「ニュース一覧」「トピックス」などが、タグ「＜ｌｉ＞」で特定されるリストの先頭行に存在し、かつ、リストの中に、アンカーが存在する場合に、その表の中の情報（タグ「＜ｔａｂｌｅ＞」で特定される情報）を更新情報として取得することを示す。
【００９６】
さらに、タグ管理表の「ＩＤ＝３」のレコードは、用語「ニュース」などが、タグ＜ｔｉｔｌｅ＞内に存在する場合、タグ＜ｐ＞で特定される情報を更新情報として取得することを示す。
【００９７】
かかる状況において、端末装置１１のユーザは、受取人識別子「１１２２」と適切なパスワードを入力し、名刺情報出力装置１２にログインした、とする。
【００９８】
次に、ユーザは、キーワード「山本」を含む検索条件を、端末装置１１に入力した、とする。次に、受付部１１１は、キーワード「山本」を含む検索条件を受け付ける、そして、送信部１１３は、キーワード「山本」を含む検索条件を名刺情報出力装置１２に送信する。
【００９９】
次に、名刺情報出力装置１２の検索条件受付部１２２は、キーワード「山本」を含む検索条件を受信する。
【０１００】
そして、名刺情報取得部１２３は、図６の名刺情報管理表から、キーワード「山本」をキーとして、「山本和男」の名刺情報を取得する。
【０１０１】
次に、更新情報取得部１２４は、「山本和男」の名刺情報を用いて、以下のように更新情報取得処理を行う。
【０１０２】
まず、更新情報取得部１２４は、名刺情報に含まれるＵＲＬ「ｈｔｔｐ：／／ｗｗｗ．ｐｇｚ．ｊｐ／」を取得する。次に、更新情報取得部１２４は、図７のＵＲＬ管理表を検索し、ＵＲＬ「ｈｔｔｐ：／／ｗｗｗ．ｐｇｚ．ｊｐ／」と対になるニュースリリースＵＲＬ、会社情報ＵＲＬなどのＵＲＬを取得しに行く。
【０１０３】
更新情報取得部１２４は、更新情報が存在するウェブページのＵＲＬを取得できなかったので、以下のようなＵＲＬ取得処理を行う。
【０１０４】
つまり、まず、ＵＲＬ取得手段１２４３は、ＵＲＬ「ｈｔｔｐ：／／ｗｗｗ．ｐｇｚ．ｊｐ／」で識別されるウェブページを含み、そのウェブページより下位のすべてのＵＲＬ（このウェブサイトにあるすべてのＵＲＬ）を取得する。
【０１０５】
次に、ＵＲＬ取得手段１２４３は、図８の第一用語管理表から、カテゴリー「プレスリリース」に対応する用語「ｎｅｗｓ」「ｔｏｐｉｃｓ」「ｎｅｗｓｒｅｌｅａｓｅ」「ｐｒｅｓｓｒｅｌｅａｓｅ」などを読み出す。
【０１０６】
次に、ＵＲＬ取得手段１２４３は、取得したＵＲＬの中に、取得した用語（「ｎｅｗｓ」「ｔｏｐｉｃｓ」「ｎｅｗｓｒｅｌｅａｓｅ」「ｐｒｅｓｓｒｅｌｅａｓｅ」など）を含むＵＲＬ（例えば、「ｈｔｔｐ：／／ｗｗｗ．ｐｇｚ．ｊｐ／ｎｅｗｓ／ｉｎｄｅｘ．ｈｔｍｌ」）を抽出し、メモリ上に配置する。
【０１０７】
次に、ＵＲＬ取得手段１２４３は、図８の第一用語管理表から、カテゴリー「会社情報」に対応する用語「ｃｏｒｐｏｒａｔｅ」「ｃｏｍｐａｎｙ」などを読み出す。
【０１０８】
次に、ＵＲＬ取得手段１２４３は、取得したＵＲＬの中に、取得した用語（「ｃｏｒｐｏｒａｔｅ」「ｃｏｍｐａｎｙ」など）を含むＵＲＬを抽出しようとするが、ここでは、ＵＲＬが取得できなかった、とする。
【０１０９】
そして、次に、ＵＲＬ取得手段１２４３は、図９の第二用語管理表から、カテゴリー「会社情報」に対応する用語「会社情報」「会社概要」などを読み出す。そして、ＵＲＬ取得手段１２４３は、ＵＲＬ「ｈｔｔｐ：／／ｗｗｗ．ｐｇｚ．ｊｐ／」で識別されるウェブページを含み、そのウェブページより下位のすべてのＵＲＬから、このウェブサイトにあるすべてのウェブページを取得し、用語「会社情報」「会社概要」などを含むか否か、および用語「会社情報」「会社概要」などの出現回数を取得する。そして、用語「会社情報」に対する重み「５」、用語「会社概要」に対する重み「４」（図９参照）と各用語の出現回数を乗算し、その乗算値の和を、ウェブページごとに算出し、ウェブページごとのスコアを取得する。そして、ＵＲＬ取得手段１２４３は、例えば、閾値「２０」を超えており、スコアが最大のウェブページのＵＲＬ（例えば、「ｈｔｔｐ：／／ｗｗｗ．ｐｇｚ．ｊｐ／ｃｏｒｐ／ｉｎｄｅｘ．ｈｔｍｌ」）を、会社情報のウェブページのＵＲＬとして抽出し、メモリ上に配置する。
【０１１０】
次に、同様に、ＵＲＬ取得手段１２４３は、図８の第一用語管理表から、カテゴリー「人事異動」に対応する用語「人事異動」「ｊｉｎｊｉ」などを読み出す。
【０１１１】
次に、ＵＲＬ取得手段１２４３は、取得したＵＲＬの中に、取得した用語（「人事異動」「ｊｉｎｊｉ」など）を含むＵＲＬ（例えば、「ｈｔｔｐ：／／ｗｗｗ．ｐｇｚ．ｊｐ／ｊｉｎｊｉ／ｉｎｄｅｘ．ｈｔｍｌ」）を抽出しようとするが、抽出できなかった、とする。
【０１１２】
次に、同様に、ＵＲＬ取得手段１２４３は、図９の第二用語管理表から、カテゴリー「人事異動」に対応する用語「人事」「トップ人事」などを読み出す。そして、ＵＲＬ取得手段１２４３は、ＵＲＬ「ｈｔｔｐ：／／ｗｗｗ．ｐｇｚ．ｊｐ／」で識別されるウェブサイトにあるすべてのウェブページにおいて、用語「人事」「トップ人事」などを含むか否か、および用語「人事」「トップ人事」などの出現回数を取得する。そして、用語「人事」に対する重み「４」、用語「トップ人事」に対する重み「３」（図９参照）と各用語の出現回数を乗算し、その乗算値の和を、ウェブページごとに算出し、ウェブページごとのスコアを取得する。そして、ＵＲＬ取得手段１２４３は、例えば、閾値「２０」を超えるスコアを有するウェブページが存在しない、と判断し、ＵＲＬを取得できなかった、とする。
【０１１３】
次に、ＵＲＬ取得手段１２４３は、図１０のタグ管理表の各レコード（ルール）を適用していく。そして、「ＩＤ＝３」のレコード（用語「人事」などが、タグ＜ｔｉｔｌｅ＞内に存在する）を適用し、「真」であると判断し、そのＵＲＬ「ｈｔｔｐ：／／ｗｗｗ．ｐｇｚ．ｊｐ／人事／ｉｎｄｅｘ．ｈｔｍｌ」を取得する。なお、ＵＲＬ取得手段１２４３が、「ＩＤ＝１」「ＩＤ＝２」のレコードを適用した場合に、「偽」であった、とする。
【０１１４】
そして、以後、同様に、ＵＲＬ取得手段１２４３は、他のカテゴリーに対応する更新情報が存在するＵＲＬを取得しに行こう、とする。ただし、取得できないカテゴリーが存在する場合があることは言うまでもない。
【０１１５】
以上の処理により、ＵＲＬ取得手段１２４３は、「ｈｔｔｐ：／／ｗｗｗ．ｐｇｚ．ｊｐ／ｎｅｗｓ／ｉｎｄｅｘ．ｈｔｍｌ」「ｈｔｔｐ：／／ｗｗｗ．ｐｇｚ．ｊｐ／ｃｏｒｐ／ｉｎｄｅｘ．ｈｔｍｌ」「ｈｔｔｐ：／／ｗｗｗ．ｐｇｚ．ｊｐ／人事／ｉｎｄｅｘ．ｈｔｍｌ」の、３つのＵＲＬを取得できた、とする。
【０１１６】
そして、３つのＵＲＬのぞれぞれに対応するウェブページを、ぞれぞれ図１１、図１２、図１３のページであるとし、それぞれ、メモリ上に読み込まれた、とする。
【０１１７】
次に、ＵＲＬ取得手段１２４３は、取得した３つのＵＲＬを、名刺情報または組織情報識別子（ここでは、ＵＲＬ「ｈｔｔｐ：／／ｗｗｗ．ｐｇｚ．ｊｐ／」）に対応付けて蓄積する。そして、ＵＲＬ取得手段１２４３は、図１４のＵＲＬ管理表を得る。
【０１１８】
次に、更新情報取得手段１２４５は、基準時刻を取得する。ここでは、更新情報取得手段１２４５は、自身の時計から現在時刻「２００８／３／３１  １５：３０」を取得し、当該現在時刻と、予め決められた期間「１ヶ月」から、基準時刻「２００８／３／１」を取得する、とする。なお、予め決められた期間「１ヶ月」とは、現在時刻に含まれる日「２００８／３／３１」から、１ヶ月遡る、とする。また、ここでの基準時刻は、日までの情報である。
【０１１９】
そして、更新情報取得手段１２４５は、取得した基準時刻「２００８／３／１」を用いて、基準時刻「２００８／３／１」以降に更新された情報を、３つのウェブページ（図１１から図１３）から取得する。
【０１２０】
まず、更新情報取得手段１２４５は、図１１のウェブページから、「＜ｔｄ  ｃｌａｓｓ＝"ｄａｔｅ"＞２００８／０３／２７」「＜ｔｄ  ｃｌａｓｓ＝"ｄａｔｅ"＞２００８／０３／０５＜／ｔｄ＞」が含まれるレコードの情報を、プレスリリースの更新情報として、取得する（図１５（ａ）参照）。なお、ここで、更新情報取得手段１２４５は、「＜ｔｄ  ｃｌａｓｓ＝"ｄａｔｅ"＞２００８／０２／１５＜／ｔｄ＞」が含まれるレコードの情報は、基準時刻に合致しないので、取得しない。
【０１２１】
また、更新情報取得手段１２４５は、図１２のウェブページから、図１５（ｂ）に示す情報を取得する。かかる情報は、会社情報である。
【０１２２】
さらに、更新情報取得手段１２４５は、図１３のウェブページから、図１０の「ＩＤ＝３」のレコードを適用し、タグ＜ｐ＞に対応する情報を、図１５（ｃ）に示すように取得する。かかる情報は、人事異動の情報である。また、図１５（ｃ）の情報は、基準時刻が示す条件に合致する。
【０１２３】
次に、名刺情報出力部１２５は、取得された名刺情報を出力する。また、更新情報出力部１２６は、取得された更新情報を出力する。
【０１２４】
次に、端末装置１１の受信部１１４は、名刺情報出力装置１２から名刺情報や更新情報を受信する。次に、出力部１１５は、受信部１１４が受信した名刺情報や更新情報を出力する。名刺情報と、更新情報の出力例を図１６に示す。なお、名刺情報や更新情報の出力態様、レイアウトは問わない。
【０１２５】
なお、更新情報取得部１２４は、図１７に示す基準時刻管理表を更新しても良い。基準時刻管理表は、各ユーザが、名刺情報を検索して、名刺情報と更新情報を出力した最新の時刻に関する情報である基準時刻を管理する表である。基準時刻管理表は、「受取人識別子」「ＵＲＬ」「基準時刻」の属性を有するレコードを１以上、保持している。そして、更新情報取得部１２４は、図１７に示す基準時刻管理表の、ＵＲＬ「ｈｔｔｐ：／／ｗｗｗ．ｐｇｚ．ｊｐ／」に対応する基準時刻を、名刺情報と更新情報を出力した日「２００８／３／３１」に更新する。
【０１２６】
なお、上記の具体例では、更新情報取得部１２４は、更新情報を取得する場合に、図１７に示す基準時刻管理表を用いなかったが、図１７に示す基準時刻管理表を用いても良い。かかる場合、更新情報取得部１２４は、ＵＲＬが含まれるウェブサイトから更新情報を取得する場合、基準時刻以降に更新された情報を取得することは好適である。
【０１２７】
以上、本実施の形態によれば、名刺情報を出力した場合に、更新情報をも出力できる。かかることにより、例えば、ユーザは、名刺情報を出力した場合に、電話番号等の相手の連絡先を知ることができると同時に、相手との会話を弾ませるための話題を提供してもらえる。例えば、受取人識別子「１１２２」で識別されるユーザは、山本和男さんに電話する場合に、山本さんの会社（会社ＰＱＺ）の最近の活動、会社情報、人事異動の情報、社長のブログ、求人情報、製品情報などを見ながら、電話で話しができる。そのため、話しが盛り上がり、例えば、商談がスムーズに進んだり、ユーザのビジネスに寄与できる。
【０１２８】
なお、本実施の形態において、名刺情報と、更新情報の出力態様は問わない。また、図１６によれば、名刺情報が一つだけ検索されたが、複数検索された場合、複数の会社の更新情報（ニュースリリース、会社情報、人事異動情報など）が出力されても良いことは言うまでもない。例えば、図１８に示すような態様で名刺情報と更新情報が出力されても良い。図１８において、ユーザは、検索条件「三三」を入力すれば、名刺情報の他に、プレスリリース、人事異動の情報なども見ることができる。
【０１２９】
また、本実施の形態によれば、名刺情報出力装置１２は、基準時刻を用いて、最近に更新された情報である更新情報を取得し、出力した。しかし、名刺情報出力装置１２は、基準時刻を用いずに、更新情報を取得し、出力しても良い。かかる場合、名刺情報出力装置１２は、例えば、ニュースリリース、プレスリリースなど、予め決められた内容（例えば、会社の昨今のトピック的な情報）を検出し、かかる情報をすべて取得し、出力しても良い。
【０１３０】
また、本実施の形態のタグ管理表において、更新情報を抽出したりするためのタグが、図１０に示したものに限らないことは言うまでもない。例えば、タグ「＜ｐ＞」ではなく、タグ「＜ｔａｂｌｅ＞」の「＜ｔｈ＞」なでを用いることは好適である。
【０１３１】
また、本実施の形態において、端末装置１１が更新情報である人事異動情報を出力した場合、ユーザからの指示により、または自動的に、名刺情報出力装置１２の図示しない手段（例えば、名刺情報更新部）が、当該出力された人事異動情報を用いて、名刺情報格納部１２１の名刺情報を更新しても良い。かかる場合、名刺情報更新部は、人事異動情報に含まれる氏名、または組織名と氏名などをキーとして、名刺情報格納部１２１を検索し、名刺情報格納部１２１内のヒットした名刺情報を、人事異動情報が有する更新された情報（例えば、その人の所属や、役職など）に更新する。なお、名刺情報更新部は、端末装置１１のユーザが受け取った（名刺交換した）人の人事異動情報のみを検索し、名刺情報格納部１２１内のヒットした名刺情報を、人事異動情報が有する更新された情報に更新することは好適である。
【０１３２】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、記憶媒体から、名刺に記載された情報であり、氏名と組織名と当該組織名で識別される組織に関する情報が記載された情報である組織情報を取得するための情報である組織情報識別子とを有する情報である名刺情報であり、１以上の名刺情報の少なくとも一部を取得する名刺情報取得部と、前記名刺情報取得部が取得した名刺情報の少なくとも一部を出力する名刺情報出力部と、前記組織情報識別子を用いて取得され得る組織情報から、当該組織情報のうちの一部の情報である更新情報を取得する更新情報取得部と、前記名刺情報出力部が名刺情報を出力する場合に、前記更新情報取得部が取得した更新情報をも出力する更新情報出力部として機能させるためのプログラムである。
【０１３３】
また、上記プログラムにおいて、前記更新情報取得部を、前記組織情報識別子を用いて取得され得る組織情報から、当該組織情報のうちの一部の情報であり、かつ予め決められた時点以降に更新された情報である更新情報を取得するものとして、コンピュータを機能させるためのプログラムであることは好適である。
【０１３４】
また、上記プログラムにおいて、前記組織情報識別子は、ＵＲＬであり、前記更新情報取得部は、１以上の用語を格納している用語格納手段と、前記組織情報識別子で識別されるウェブページの下位のウェブページのＵＲＬであり、前記１以上の用語を含むＵＲＬを取得するＵＲＬ取得手段と、前記ＵＲＬを用いて、ウェブページを取得するウェブページ取得手段と、前記ウェブページから更新情報を取得する更新情報取得手段とを具備するものとして、コンピュータを機能させるためのプログラムであることは好適である。
【０１３５】
また、上記プログラムにおいて、前記組織情報識別子は、ＵＲＬであり、前記更新情報取得部は、１以上のタグを格納しているタグ格納手段と、前記ＵＲＬを用いて、ウェブページを取得するウェブページ取得手段と、前記ウェブページから、当該ウェブページのうちの一部の情報であり、前記タグに対応する情報である更新情報を取得する更新情報取得手段とを具備するものとして、コンピュータを機能させるためのプログラムであることは好適である。
【０１３６】
また、上記プログラムにおいて、前記組織情報識別子は、ＵＲＬであり、前記更新情報取得部は、１以上の用語を格納している用語格納手段と、前記ＵＲＬを用いて、ウェブページを取得するウェブページ取得手段と、前記ウェブページから、当該ウェブページのうちの一部の情報であり、前記用語を用いて更新情報を取得する更新情報取得手段とを具備するものとして、コンピュータを機能させるためのプログラムであることは好適である。
【０１３７】
また、上記プログラムにおいて、前記更新情報取得部は、前記組織情報識別子を用いて取得され得る組織情報から、当該組織情報のうちの一部の情報であり、現在から、予め決められた時間以内に更新された情報である更新情報を取得するものとして、コンピュータを機能させるためのプログラムであることは好適である。
【０１３８】
また、上記プログラムにおいて、前記名刺情報出力部または前記更新情報出力部は、前記名刺情報が出力された時刻に関する情報、または前記更新情報が出力された時刻に関する情報である時刻情報を、ユーザごと、かつ組織情報識別子ごとに蓄積し、前記更新情報取得部は、ユーザおよび前記組織情報識別子に対応する前記時刻情報を取得し、前記組織情報識別子を用いて取得され得る組織情報から、当該組織情報のうちの一部の情報であり、前記時刻情報が示す時刻以降に更新された情報である更新情報を取得するものとして、コンピュータを機能させるためのプログラムであることは好適である。
【０１３９】
また、上記プログラムにおいて、前記更新情報取得部は、前記組織情報識別子ごとに、前記更新情報が存在するＵＲＬを蓄積しておき、前記ＵＲＬから取得され得るウェブページから更新情報を取得するものとして、コンピュータを機能させるためのプログラムであることは好適である。
【０１４０】
さらに、上記プログラムにおいて、前記更新情報取得部は、前記蓄積しているＵＲＬを用いてウェブページを取得しに行き、当該取得に失敗した場合に、上記のいずれか記載のウェブページ取得手段によりウェブページを取得し、当該ウェブページから更新情報を取得するものとして、コンピュータを機能させるためのプログラムであることは好適である。
【０１４１】
また、図１９は、本明細書で述べたプログラムを実行して、上述した実施の形態の名刺情報出力装置等を実現するコンピュータの外観を示す。上述の実施の形態は、コンピュータハードウェア及びその上で実行されるコンピュータプログラムで実現され得る。図１９は、このコンピュータシステム３４０の概観図であり、図２０は、コンピュータシステム３４０のブロック図である。
【０１４２】
図１９において、コンピュータシステム３４０は、ＦＤドライブ、ＣＤ−ＲＯＭドライブを含むコンピュータ３４１と、キーボード３４２と、マウス３４３と、モニタ３４４とを含む。
【０１４３】
図２０において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５と、ＣＰＵ３４１３に接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１４４】
コンピュータシステム３４０に、上述した実施の形態の名刺情報出力装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
プログラムは、コンピュータ３４１に、上述した実施の形態の名刺情報出力装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１４５】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０１４６】
また、上記プログラムを実行するコンピュータは、単数であってもよく、複数であってもよい。すなわち、集中処理を行ってもよく、あるいは分散処理を行ってもよい。
【０１４７】
また、上記各実施の形態において、一の装置に存在する２以上の通信手段（送信部１１３、受信部１１４など）は、物理的に一の媒体で実現されても良いことは言うまでもない。
【０１４８】
また、上記各実施の形態において、各処理（各機能）は、単一の装置（システム）によって集中処理されることによって実現されてもよく、あるいは、複数の装置によって分散処理されることによって実現されてもよい。
【０１４９】
本発明は、以上の実施の形態に限定されることなく、種々の変更が可能であり、それらも本発明の範囲内に包含されるものであることは言うまでもない。
【産業上の利用可能性】
【０１５０】
以上のように、本発明にかかる情報出力システムは、名刺情報を出力した場合に更新情報をも出力できる、という効果を有し、名刺情報管理出力システム等として有用である。
【図面の簡単な説明】
【０１５１】
【図１】本実施の形態における情報出力システム１の概念図
【図２】同情報出力システムのブロック図
【図３】同名刺情報出力装置の動作について説明するフローチャート
【図４】同更新情報取得処理の動作について説明するフローチャート
【図５】同ＵＲＬ取得処理の動作について説明するフローチャート
【図６】同名刺情報管理表を示す図
【図７】同ＵＲＬ管理表を示す図
【図８】同第一用語管理表を示す図
【図９】同第二用語管理表を示す図
【図１０】同タグ管理表を示す図
【図１１】同ウェブページの例を示す図
【図１２】同ウェブページの例を示す図
【図１３】同ウェブページの例を示す図
【図１４】同ＵＲＬ管理表を示す図
【図１５】同更新情報の例を示す図
【図１６】同名刺情報と更新情報の出力例を示す図
【図１７】同基準時刻管理表を示す図
【図１８】同名刺情報と更新情報の出力例を示す図
【図１９】同コンピュータシステムの概観図
【図２０】同コンピュータシステムのブロック図
【符号の説明】
【０１５２】
１  情報出力システム
１１  端末装置
１２  名刺情報出力装置
１１１  受付部
１１２  処理部
１１３  送信部
１１４  受信部
１１５  出力部
１２１  名刺情報格納部
１２２  検索条件受付部
１２３  名刺情報取得部
１２４  更新情報取得部
１２５  名刺情報出力部
１２６  更新情報出力部
１２４１  用語格納手段
１２４２  タグ格納手段
１２４３  ＵＲＬ取得手段
１２４４  ウェブページ取得手段
１２４５  更新情報取得手段
【図１】
0005263759.tif 000002
【図２】
0005263759.tif 000003
【図３】
0005263759.tif 000004
【図４】
0005263759.tif 000005
【図５】
0005263759.tif 000006
【図６】
0005263759.tif 000007
【図７】
0005263759.tif 000008
【図８】
0005263759.tif 000009
【図９】
0005263759.tif 000010
【図１０】
0005263759.tif 000011
【図１４】
0005263759.tif 000012
【図１７】
0005263759.tif 000013
【図１９】
0005263759.tif 000014
【図２０】
0005263759.tif 000015
【図１１】
0005263759.tif 000016
【図１２】
0005263759.tif 000017
【図１３】
0005263759.tif 000018
【図１５】
0005263759.tif 000019
【図１６】
0005263759.tif 000020
【図１８】
0005263759.tif 000021